(57)【要約】【課題】最適な伝送レートの決定を行うことができるとともにスループットを向上させること。【解決手段】本発明の基地局装置１００のＳＩＲ報告値抽出部１３１は、通信相手から受信したデータから回線品質情報を抽出し、ドップラー周波数検出部１２１は、前記データからドップラー周波数を検出する。ＳＩＲ平均化要否判断部１２５は、前記ドップラー周波数と前記回線品質情報の伝送遅延時間の逆数とを比較することにより前記回線品質情報を平均化するか否かを判断して平均化要否判断結果を生成する。ＳＩＲ平均化部１３５は、前記平均化要否判断結果に基づいて前記回線品質情報を平均化する。ＭＣＳ割り当て部１２７は、平均化された回線品質情報と前記ドップラー周波数に基づいて伝送レートを決定する。【選択図】図１
2007150862.tif 000002
【特許請求の範囲】
【請求項１】
通信相手から受信したデータから回線品質情報を抽出する抽出手段と、
前記データからドップラー周波数を検出するドップラー周波数検出手段と、
前記ドップラー周波数と前記回線品質情報の伝送遅延時間の逆数とを比較することにより前記回線品質情報を平均化するか否か判断して平均化要否判断結果を生成する平均化要否判断手段と、
前記平均化要否判断結果に基づいて前記回線品質情報を平均化する平均化手段と、
平均化された前記回線品質情報と前記ドップラー周波数とに基づいて伝送レートを決定する決定手段と、を具備する無線通信装置。
【請求項２】
前記平均化手段は、前記平均化要否判断結果に基づいて前記回線品質情報の平均化時間を調整する平均化時間調整手段を具備する請求項１記載の無線通信装置。
【請求項３】
前記データから遅延スプレッドを抽出する遅延スプレッド抽出手段と、
前記遅延スプレッドと所定の閾値とを比較することにより前記平均化時間調整手段で調整した調整後の平均化時間を補正するか否か判断して補正要否判断結果を生成する補正要否判断手段と、
前記補正要否判断結果に基づいて前記調整後の平均化時間を補正する平均化時間補正手段と、
をさらに具備する請求項２記載の無線通信装置。
【請求項４】
通信相手から受信したデータから回線品質情報を抽出する抽出ステップと、
前記データからドップラー周波数を検出するドップラー周波数検出ステップと、
前記ドップラー周波数と前記回線品質情報の伝送遅延時間の逆数とを比較することにより前記回線品質情報を平均化するか否か判断して平均化要否判断結果を生成する平均化要否判断ステップと、
前記平均化要否判断結果に基づいて前記回線品質情報を平均化する平均化ステップと、
平均化された前記回線品質情報と前記ドップラー周波数とに基づいて伝送レートを決定する決定ステップと、
を具備する無線通信装置における伝送レート決定方法。
【請求項５】
前記平均化ステップは、前記平均化要否判断結果に基づいて前記回線品質情報の平均化時間を調整する平均化時間調整ステップを具備する請求項４記載の無線通信装置における伝送レート決定方法。
【請求項６】
前記データから遅延スプレッドを抽出する遅延スプレッド抽出ステップと、
前記遅延スプレッドと所定の閾値とを比較することにより前記平均化時間調整ステップで調整された調整後の平均化時間を補正するか否か判断して補正要否判断結果を生成する補正要否判断ステップと、
前記補正要否判断結果に基づいて前記調整後の平均化時間を補正する平均化時間補正ステップと、
をさらに具備する請求項５記載の無線通信装置における伝送レート決定方法。
【発明の詳細な説明】
【技術分野】
【０００１】
本発明は、回線品質情報に応じて適応的に変調方式及び符号化率を変更して無線通信を行う無線通信装置及び無線通信装置における伝送レート決定方法に関する。
【背景技術】
【０００２】
無線通信の分野では、複数の通信端末装置が高速大容量な下りチャネルを共有し、基地局装置から移動局装置にパケットを伝送する下り高速パケット伝送方式が開発されている。この下り高速パケット伝送方式の中でも、より高速なＩＭＴ−２０００のパケット伝送方式として、下りのピーク伝送速度の高速化、低伝送遅延及び高スループット化等を目的としたＨＳＤＰＡ（High Speed Downlink Packet Access）と呼ばれる方式が検討されている。そして、ＨＳＤＰＡを支援する技術として、３ＧＰＰ（3rd Generation Partnership Project）ＴＲ２５．８４８には、ＡＭＣ（Adaptive Modulation and Coding：適応変調符号化方式）と呼ばれる伝送方式が開示されている。
【０００３】
このＡＭＣ技術は、回線品質の変動に応じて変調方式及び誤り訂正符号化レートを適応的にかつ高速に変更する技術である。ＡＭＣ技術は、回線品質が良好なほど高速の変調方式を用い、誤り訂正符号化レートを大きくすることで伝送レートを向上させる。
【０００４】
具体的には、通信端末装置は、随時下り回線の伝搬状況を測定し、基地局装置は、その測定結果にもとづいて送信データの伝送先となる通信端末装置及び最適な伝送レートを決定し、送信データを通信端末装置に伝送する。
【０００５】
伝送レートに関係するものとして、変調方式｛例えば、ＱＰＳＫ（Quadrature Phase Shift Keying）又は１６ＱＡＭ（Quadrature Amplitude Modulation）間で変更する｝及び符号化率｛例えば、Ｒ＝１／３でターボ符号化し、パンクチャ（puncture）又はリピティション（repetition）することで変更する｝等が検討されている。
【０００６】
また、回線品質情報の一指標としては、例えばＣＩＲ（Carrier to Interference Ratio）、ＳＩＲ（Signal to Interference Ratio）、ＴＦＲＣ（Transport Format and Resource Combination）又は個別チャネル｛例えば、ＤＰＣＨ（Dedicated Physical Channel）｝の送信電力等が用いられている。
【０００７】
ＡＭＣ技術が適用された無線通信において、基地局装置は、通信相手である移動局装置から報告されたＳＩＲ等の回線品質の一指標である回線品質情報の大小に応じて最も高いスループットを得ることができるＭＣＳ（Modulation and Coding Scheme：変調方式及び符号化方式）を選択する。
【０００８】
図１６は、ＡＭＣ技術の基本原理を説明するための図である。図１６において、縦軸にスループットの大きさが示され、横軸に回線品質の一指標であるＳＩＲの閾値が示されている。また、ＭＣＳ１〜４は、ＭＣＳの番号が大きくなるほど伝送レートを高速にする組み合わせとなっている。例えば、移動局装置から報告されたＳＩＲの値が閾値ＳＩＲ１２からＳＩＲ２３の間の値であれば、最も高いスループットを得ることができるＭＣＳは、変調方式（ＱＰＳＫ）及び符号化率（Ｒ＝１／２）のＭＣＳ２である。従って、後述するＭＣＳ割り当て部は、ＭＣＳ１〜ＭＣＳ４の中から最適なＭＣＳ２を選択する。
【０００９】
しかし、移動局装置のドップラー周波数ｆＤ、つまり、移動局装置の移動速度が大きくなると、伝搬環境の影響を受けてＳＩＲの変動が大きくなるため、図１７に示すように、丸で囲んだ領域では各ＭＣＳ（ＭＣＳ１〜４）のスループット特性が劣化している。その結果、スループット特性を示す線の交差点ＸとＳＩＲの閾値の境界線との間にずれが生じるため、基地局装置のＭＣＳ割り当て部は、最適なＭＣＳを選択することができない。
【００１０】
そこで、従来では、図１８に示すように伝送レートを低速の方向に切り替えるようＳＩＲの閾値を高めに補正し（ＳＩＲ→ＳＩＲ’）、スループット特性を示す線の交差点とＳＩＲの閾値の境界線とを交差させることにより、回線品質情報の劣化に応じた最適なＭＣＳを選択できるようにしている（特許文献１）。
【００１１】
図１９は、特許文献１記載の無線通信装置１０の構成を示すブロック図である。図１９に示す無線通信装置１０は、符号化部１、変調部３、拡散部５、送信無線部７、アンテナ９、受信無線部１１、逆拡散部１３、復調部１５、ドップラー周波数検出器１７、復号化部１９、ＣＩＲ報告値抽出部２１、ＣＩＲ報告値記憶部２３及びＭＣＳ割り当て部２５を有する。
【００１２】
符号化部１は、後述するＭＣＳ割り当て部２５から指定される符号化率に従って、送信データを誤り訂正符号化し変調部３に与える。変調部３は、符号化部１から受けた誤り訂正符号化後の送信データを、ＭＣＳ割り当て部２５から指定される変調方式に従って変調し変調信号を拡散部５に与える。拡散部５は、変調部３から受けた変調信号を固有の拡散コードを用いて拡散し送信無線部７に与える。送信無線部７は、拡散部５から受けた拡散後の信号に対してアップコンバート等の所定の無線処理を行いアンテナ９を介して無線送信する。
【００１３】
一方、アンテナ９は、図示しない移動局装置である無線通信装置から無線送信された信号を受信して受信無線部１１に与える。受信無線部１１は、アンテナ９から受けた受信信号にダウンコンバート等の所定の無線処理を行い逆拡散部１３に与える。逆拡散部１３は、受信無線部１１から受けた受信信号に対して移動局装置毎に送信時と同じ拡散コードを用いて逆拡散し復調部１５に与える。復調部１５は、逆拡散部１３から受けた逆拡散処理後の受信信号を復調し復調信号をドップラー周波数検出器１７及び復号化部１９に与える。ドップラー周波数検出器１７は、復調部１５から受けた復調信号からドップラー周波数を検出しＭＣＳ割り当て部２５に与える。復号化部１９は、復調部１５から受けた復調信号を復号化しＣＩＲ報告値抽出部２１に与える。ＣＩＲ報告値抽出部２１は、復号化部１９から受けた復号化後のデータからＣＩＲ報告値を抽出してＣＩＲ報告値記憶部２３に与える。
【００１４】
ＭＣＳ割り当て部２５は、図１８に示すようにドップラー周波数の大きさに応じて補正されたＣＩＲ（ＳＩＲ）の閾値ＣＩＲ’（ＳＩＲ’）とＣＩＲ報告値記憶部２３に記憶されたＣＩＲ（ＳＩＲ）報告値とに基づいて最適なＭＣＳを決定し符号化部１及び変調部３に割り当てる。なお、ここで割り当てられた最適な変調方式及び符号化レートは、次回の送信データの伝送レートとなる。  
【特許文献１】特開２００３−２５９４３７号公報
【発明の開示】
【発明が解決しようとする課題】
【００１５】
しかしながら、特許文献１記載の無線通信装置において、回線品質情報の一指標であるＳＩＲ（ＣＩＲ）の変動が激しい時には、伝送遅延の影響により、実際のチャネル状態、つまり伝送遅延の影響を受けていない時のチャネル状態に即した最適なＭＣＳを選択することができないという問題がある。すなわち、ＳＩＲの変動が激しい時には、伝送遅延の影響を受けたＳＩＲの変動は、実際のＳＩＲの変動と比べると全くＭＣＳの割り当てが異なるため、ＭＣＳ割り当て部２５は、ドップラー周波数の大きさに応じてＳＩＲ（ＣＩＲ）の閾値を補正したとしても最適なＭＣＳを選択することができないという問題がある。従って、ＡＭＣを適用した時、つまりＭＣＳを選択した時には、スループットが瞬時フェージングに追従できないため、本来最適なＭＣＳを選択した時に得られるスループットと比べてスループットが劣化するという問題がある。
【００１６】
本発明は、かかる点に鑑みてなされたものであり、最適な伝送レートの決定を行うことができるとともにスループットを向上させることができる無線通信装置及び無線通信装置における伝送レート決定方法を提供することを目的とするものである。
【課題を解決するための手段】
【００１７】
本発明は、通信相手から受信したデータから回線品質情報を抽出する抽出手段と、前記データからドップラー周波数を検出するドップラー周波数検出手段と、前記ドップラー周波数と前記回線品質情報の伝送遅延時間の逆数とを比較することにより前記回線品質情報を平均化するか否か判断して平均化要否判断結果を生成する平均化要否判断手段と、前記平均化要否判断結果に基づいて前記回線品質情報を平均化する平均化手段と、平均化された前記回線品質情報と前記ドップラー周波数とに基づいて伝送レートを決定する決定手段と、を具備する構成を採る。
【発明の効果】
【００１８】
本発明によれば、最適な伝送レートの決定を行うことができるとともにスループットを向上させることができる。
【発明を実施するための最良の形態】
【００１９】
以下、本発明の実施の形態について、図面を参照して詳細に説明する。
【００２０】
（実施の形態１）
本発明の実施の形態１では、ＯＦＣＤＭ（Orthogonal Frequency Code Division Multiplexing）方式の基地局装置及び移動局装置を例に説明を行う。
【００２１】
図１は、本発明の実施の形態１に係る基地局装置１００の構成を示すブロック図である。図１に示すように、基地局装置１００は、誤り訂正符号化部１０１、変調部１０３、拡散部１０５、ＩＦＦＴ部１０７、送信無線部１０９、アンテナ１１１、受信無線部１１３、ＦＦＴ部１１５、逆拡散部１１７、復調部１１９、ドップラー周波数検出部１２１、ＭＣＳ閾値決定部１２３、ＳＩＲ平均化要否判断部１２５、ＭＣＳ割り当て部１２７、誤り訂正復号部１２９、ＳＩＲ報告値抽出部１３１、ＳＩＲ平均化時間調整部１３３及びＳＩＲ平均化部１３５を有している。
【００２２】
図２は、本発明の実施の形態１に係る移動局装置２００の構成を示すブロック図である。図２に示すように、移動局装置２００は、アンテナ２０１、受信無線部２０３、ＦＦＴ部２０５、逆拡散部２０７、復調部２０９、誤り訂正復号部２１１、パイロット信号抽出部２１３、ＳＩＲ測定部２１５、誤り訂正符号化部２１７、変調部２１９、拡散部２２１、ＩＦＦＴ部２２３及び送信無線部２２５を有している。
【００２３】
次に、上記構成を有する基地局装置１００及び移動局装置２００の動作について説明する。
【００２４】
基地局装置１００の誤り訂正符号化部１０１は、後述するＭＣＳ割り当て部１２７から割り当てられる符号化率に従い、送信データに誤り訂正符号化処理を行い変調部１０３に与える。変調部１０３は、後述するＭＣＳ割り当て部１２７から割り当てられる変調方式に従い、誤り訂正符号化された送信データを変調し変調信号を拡散部１０５に与える。拡散部１０５は、変調部１０３から受けた変調信号に固有の拡散コードで拡散処理を行いＩＦＦＴ部１０７に与える。ＩＦＦＴ部１０７は、拡散部１０５から受けた拡散処理後の変調信号にＩＦＦＴ処理を行い送信無線部１０９に与える。送信無線部１０９は、ＩＦＦＴ部１０７から受けたＩＦＦＴ処理後の信号にアップコンバート等の所定の無線処理を行いアンテナ１１１を介して移動局装置２００に無線送信する。
【００２５】
移動局装置２００のアンテナ２０１は、基地局装置１００のアンテナ１１１から無線送信された信号を受信して受信信号を生成し無線受信部２０３に与える。受信無線部２０３は、アンテナ２０１から受信した受信信号にダウンコンバート等の所定の受信処理を行いＦＦＴ部２０５に与える。ＦＦＴ部２０５は、無線受信部２０３から受けた受信信号にＦＦＴ処理を行い逆拡散部２０７に与える。逆拡散部２０７は、ＦＦＴ部２０５から受けたＦＦＴ処理後の受信信号を基地局装置が送信時と同じ拡散コードを用いて逆拡散処理を行い復調部２０９に与える。
【００２６】
復調部２０９は、逆拡散部２０７から受けた逆拡散後の受信信号を復調し復調信号を誤り訂正復号部２１１及びパイロット信号抽出部２１３に与える。
【００２７】
誤り訂正復号部２１１は、復調部２０９から受けた復調信号に誤り訂正復号処理を行い受信データを取り出す。
【００２８】
パイロット信号抽出部２１３は、復調部２０９から受けた復調信号からパイロット信号を抽出しＳＩＲ測定部２１５に与える。ＳＩＲ測定部２１５は、パイロット信号抽出部２１３から受けたパイロット信号からＳＩＲを測定し誤り訂正符号化部２１７に与える。
【００２９】
誤り訂正符号化部２１７は、ＳＩＲ測定部２１５で測定されたＳＩＲを他のデータとともに誤り符号化処理を行い変調部２１９に与える。変調部２１９は、誤り訂正符号化部２１７から受けた誤り訂正符号化後のＳＩＲを含んだデータを変調し変調信号を拡散部２２１に与える。拡散部２２１は、変調部２１９から受けた変調信号に固有の拡散コードを用いて拡散処理を行いＩＦＦＴ部２２３に与える。ＩＦＦＴ部２２３は、拡散部２２１から受けた拡散処理後の変調信号にＩＦＦＴ処理を行い送信無線部２２５に与える。送信無線部２２５は、ＩＦＦＴ部２２３から受けたＩＦＦＴ処理後の信号にアップコンバート等の所定の送信処理を行いアンテナ２０１を介して無線送信する。
【００３０】
一方、基地局装置１００のアンテナ１１１は、移動局装置２００のアンテナ２０１から無線送信された信号を受信し受信信号を生成して受信無線部１１３に与える。受信無線部１１３は、アンテナ１１１から受けた受信信号にダウンコンバート等の所定の受信処理を行いＦＦＴ部１１５に与える。ＦＦＴ部１１５は、受信無線部１１３から受けた受信信号にＦＦＴ処理を行い逆拡散部１１７に与える。逆拡散部１１７は、ＦＦＴ部１１５から受けたＦＦＴ処理後の受信信号に移動局装置毎に送信時と同じ拡散コードを用いて逆拡散処理を行い復調部１１９に与える。
【００３１】
復調部１１９は、逆拡散部１１７から受けた逆拡散処理後の信号を復調し復調信号をドップラー周波数検出部１２１及び誤り訂正復号部１２９に与える。
【００３２】
ドップラー周波数検出部１２１は、復調部１１９から受けた復調信号からドップラー周波数、つまり、移動局装置の移動速度を検出してＭＣＳ閾値決定部１２３及びＳＩＲ平均化要否判断部１２５に与える。
【００３３】
ＭＣＳ閾値決定部１２３は、ドップラー周波数検出部１２１で検出されたドップラー周波数を基にＭＣＳ選択用の閾値を決定しＭＣＳ割り当て部１２７に与える。
【００３４】
ＳＩＲ平均化要否判断部１２５は、ドップラー周波数検出部１２１で検出されたドップラー周波数を基にＳＩＲの平均化要否を判断し平均化要否判断結果を生成して、当該平均化要否判断結果をＳＩＲ平均化時間調整部１３３に与える。
【００３５】
具体的には、ＳＩＲ平均化要否判断部１２５は、ＳＩＲの変動自体を直接検出することができないので、ＳＩＲの変動と相関のあるドップラー周波数ｆＤとシステム及び移動局装置毎等で予め決められているＳＩＲの伝送遅延時間−１（伝送遅延時間の逆数）である閾値ｆＴＨとを比較することにより、伝送遅延時間当たりのＳＩＲの変動を間接的に検出（推定）する。そして、ＳＩＲ平均化要否判断部１２５は、この推定したＳＩＲの変動の大きさにより、伝送遅延の影響を受けたＳＩＲの変動に基づいて実際のチャネル状態に即した最適なＭＣＳを選択することができるか否かを判断することができる。つまり、ＳＩＲ平均化要否判断部１２５は、最適なＭＣＳを選択するためにＳＩＲの平均化が必要であるか否かを判断することができる。
【００３６】
ＳＩＲ平均化時間調整部１３３は、ＳＩＲ平均化要否判断部１２５の平均化要否判断結果に基づいてＳＩＲの平均化時定数、つまり、ＳＩＲの平均化時間を調整しＳＩＲ平均化部１３５に与える。
【００３７】
ここで、ＳＩＲ平均化要否判断部１２５の平均化要否判断結果によりＳＩＲの平均化が必要であると示された時には、ＳＩＲ平均化時間調整部１３３は、ＳＩＲの平均化時定数をドップラー周波数ｆＤの逆数に対して長く設定する。すなわち、ＳＩＲの短区間変動分を平均化し、平均化後のＳＩＲの変動に追従することで、実際のＳＩＲの長区間変動に追従できるようにＳＩＲの平均化時間を調整する。
【００３８】
一方、ＳＩＲ平均化要否判断部１２５の平均化要否判断結果によりＳＩＲの平均化が必要でないと示された時には、ＳＩＲ平均化時間調整部１３３は、ＳＩＲの平均化時定数を零、またはドップラー周波数ｆＤの逆数に対して短く設定する。ここで、ＳＩＲの平均化時定数を零に設定する、つまり、ＳＩＲの平均化処理を行わない場合には、ＳＩＲ平均化部１３５は平均化を行わずにＳＩＲ報告値抽出部１３１で抽出されたＳＩＲをＭＣＳ割り当て部１２７に与えることとなる。
【００３９】
誤り訂正復号部１２９は、復調部１１９から受けた復調信号に誤り訂正復号処理を行いＳＩＲ報告値抽出部１３１に与える。ＳＩＲ報告値抽出部１３１は、誤り訂正復号部１２９で誤り訂正復号されたデータからＳＩＲを抽出しＳＩＲ平均化部１３５に与える。
【００４０】
ＳＩＲ平均化部１３５は、ＳＩＲ平均化時間調整部１３３で決定した平均化時定数に基づいてＳＩＲ報告値抽出部１３１で抽出されたＳＩＲ報告値を平均化しＭＣＳ割り当て部１２７に与える。
【００４１】
ＭＣＳ割り当て部１２７は、ＳＩＲ平均化部１３５から受けたＳＩＲとＭＣＳ閾値決定部１２３で決定された閾値とに基づいて最適なＭＣＳを選択し、誤り訂正符号化部１０１及び変調部１０３に最適なＭＣＳを割り当てる。そして、このＭＣＳ割り当て部１２７が割り当てたＭＣＳが、次回送信時の最適な伝送レートとなる。
【００４２】
次に、ＳＩＲ平均化要否判断部１２５のＳＩＲ平均化要否判断処理及びＳＩＲ平均化時間調整部１３３のＳＩＲ平均化時間調整処理について説明する。図３は、平均化要否判断処理及びＳＩＲ平均化時間調整処理の動作を説明するためのフロー図である。
【００４３】
まず、ステップＳＴ３００で、ドップラー周波数検出部１２１は移動局装置２００から受信した受信信号からドップラー周波数ｆＤを検出し、ステップＳＴ３１０で、ＳＩＲ平均化要否判断部１２５は当該ドップラー周波数ｆＤと閾値ｆＴＨとを比較してｆＤ＞ｆＴＨであるかどうか、つまりドップラー周波数が閾値より大きいかどうかを判別する。ここで、ｆＤ＞ｆＴＨの時にはＳＩＲの平均化が必要であると判断されステップＳＴ３２０の処理に進み、ｆＤ≦ｆＴＨの時にはＳＩＲの平均化が必要でないと判断されステップＳＴ３３０の処理に進む。
【００４４】
具体的には、ｆＤ＞ｆＴＨの時には、時間方向にＳＩＲの変動は大きい。図４はｆＤ＞ｆＴＨの時のＳＩＲの変動を示す図である。ここでは、実線４０１が実際のＳＩＲの変動を示す線（以下、「変動線」と言う）を示し、破線４０２が伝送遅延の影響を受けたＳＩＲの変動線を示している。そして、図４（Ａ）に示すように、実際のＳＩＲの変動線４０１と矢印で示すように伝送遅延の影響を受けたＳＩＲの変動線４０２との間でＳＩＲの変動にずれが生じている。
【００４５】
そのため、伝送遅延の影響を受けたＳＩＲの変動線４０２をもとにＭＣＳの割り当てを行うと、図４（Ｂ）の矢印で示すようにＭＣＳの割り当ては実際のＳＩＲの変動と比べると全く異なっている。例えば、時刻ｔ１の時においては、伝送遅延の影響を受けなければ実際のＳＩＲの変動線４０１に基づいて閾値ＳＩＲ１２にてＭＣＳが割り当てられるが、伝送遅延の影響を受けたＳＩＲの変動線４０２では閾値ＳＩＲ３４にてＭＣＳが割り当てられる。同様に、時刻ｔ３の時においては、伝送遅延の影響を受けなければ実際のＳＩＲの変動線４０１に基づいて閾値ＳＩＲ２３から閾値ＳＩＲ３４の間でＭＣＳが割り当てられるが、伝送遅延の影響を受けたＳＩＲの変動線４０２ではＳＩＲ１２にてＭＣＳが割り当てられている。つまり、伝送遅延の影響により、実際のチャネル状態に即したＭＣＳを選択することができない。
【００４６】
図５は、ｆＤ＞ｆＴＨの時において、伝送遅延の影響を受けたＳＩＲを基にＭＣＳの選択を行った時のスループット特性を示す図である。この場合、スループット特性を示す線（以下、「スループット特性線」と言う）５０１の示すように、スループットは瞬時フェージングに追従することはできないので、最適なＭＣＳを選択した時に得られるスループット特性線５０２と比べてスループットは大きく劣化している。従って、ｆＤ＞ｆＴＨの時には、最適なＭＣＳを選択しかつスループットを向上させるために、ＳＩＲ平均化要否判断部１２５は、実際のＳＩＲの長区間変動を推定できるようにＳＩＲの平均化が必要であると判断する。
【００４７】
一方、ステップＳＴ３１０において、ｆＤ≦ｆＴＨの時には、図６（Ａ）に示すように時間方向にＳＩＲの変動は緩やかである。そのため、実際のＳＩＲの変動線６０１と矢印で示すように伝送遅延の影響を受けたＳＩＲの変動線６０２との間でのＳＩＲの変動のずれは小さい。この場合、ＭＣＳ割り当て部１２７が、図６（Ｂ）に示すように伝送遅延の影響により発生した選択ミス区間内で誤ったＭＣＳを選択したとしても、ＳＩＲの変動が緩やかなため選択ミスの影響は小さい。
【００４８】
図７は、ｆＤ≦ｆＴＨの時において、伝送遅延の影響を受けたＳＩＲを基にＭＣＳの選択を行った時のＭＣＳのスループット特性を示す図である。この場合、伝送遅延の影響を受けたＳＩＲを基にＭＣＳの選択を行ったとしても、太線で示すスループット特性線７０１は、丸で囲んだ領域に示されるように瞬時フェージング変動に追従できた分だけスループットが向上している。従って、ステップＳＴ３１０において、ｆＤ≦ｆＴＨの時には、ＳＩＲ平均化要否判断部１２５はＳＩＲの平均化は必要でないと判断する。
【００４９】
ステップＳＴ３１０での判断結果によりＳＩＲの平均化が必要であると示された時（すなわちｆＤ＞ｆＴＨである時）には、ステップＳＴ３２０で、ＳＩＲ平均化時間調整部１３３はＳＩＲの平均化時定数、つまり、ＳＩＲの平均化時間をドップラー周波数ｆＤの逆数に対して長く設定する。具体的には、ＳＩＲの短区間変動分を平均化することにより、図８に示すように平均化したＳＩＲの変動線８０１が変動幅Ｗ１〜Ｗ２を持つ実際のＳＩＲの変動線８０２で示す長区間変動を追従できるように、ＳＩＲ平均化時間調整部１３３は、ドップラー周波数ｆＤの逆数に対して適切な平均化時間を調整し設定する。その結果、平均化後のＳＩＲに基づいてＭＣＳの選択が行われた時のスループット特性は、図９（Ａ）に太線で示すスループット特性線９０１のようにＳＩＲの長区間変動に追従できている状態となる。
【００５０】
なお、ステップＳＴ３２０で、ＳＩＲの平均化要否を判断する時に用いた閾値ｆＴＨとは別に閾値をさらに設けることにより、ＳＩＲ平均化時間調整部１３３がＳＩＲの平均化時間をドップラー周波数ｆＤの逆数に対して短く調整することも可能である。
【００５１】
一方、ステップＳＴ３１０での判断結果によりＳＩＲの平均化が必要でないと示された時（すなわち、ｆＤ≦ｆＴＨである時）には、ステップＳＴ３３０で、ＳＩＲ平均化時間調整部１３３はＳＩＲの平均化時定数を零に設定する、つまり、ＳＩＲの平均化を行わないように設定する。この場合、ＳＩＲの平均化を行わないでもＡＭＣを適用した時に得られるスループット特性は、図９（Ｂ）に太線で示すスループット特性線９０２のように瞬時フェージングに追従できている状態となる。
【００５２】
また、ステップＳＴ３１０での判断結果によりＳＩＲの平均化が必要でないと示された時（すなわち、ｆＤ≦ｆＴＨである時）に、ＳＩＲ平均化時間調整部１３３はＳＩＲの平均化時間をドップラー周波数ｆＤの逆数に対して短く設定してもよい。すなわち、スループット特性は瞬時フェージングに追従しつつも、より精度の高いＳＩＲの値に基づいてＭＣＳの選択を行うためにＳＩＲの平均化時間を短く設定することも可能である。
【００５３】
次いで、ステップＳＴ３４０で、ＳＩＲ平均化部１３５はステップＳＴ３２０で設定されたＳＩＲの平均化時定数に基づいてＳＩＲの平均化を行い、動作を終了する。
【００５４】
このように、本発明は、ＳＩＲの変動が大きい時には、伝送遅延の影響を受けたＳＩＲ等の回線品質情報に基づいて最適なＭＣＳを選択することができないため、最適なＭＣＳを選択した時と比べてスループットが劣化してしまう課題に着目したものである。
【００５５】
そして、本実施の形態１によれば、ＳＩＲ平均化要否判断部１２５は、ＳＩＲの変動と相関のあるドップラー周波数ｆＤとシステム及び移動局装置毎等で予め設定されたＳＩＲ等の回線品質情報の伝送遅延時間−１（伝送遅延時間の逆数）である閾値ｆＴＨとを比較することにより、伝送遅延時間当たりのＳＩＲの変動の大きさを間接的に検出（推定）しＳＩＲの平均化要否を判断する。そして、この平均化要否判断結果に基づいてＳＩＲの平均化を行うため、最適なＭＣＳ、つまり最適な伝送レートを選択することができるとともにスループットを向上させることができる。
【００５６】
また、平均化要否判断において平均化が必要であると示された時には、ＳＩＲ平均化時間調整部１３３は、ＳＩＲの短区間変動分を平均化することにより実際のＳＩＲの長区間変動を推定するために最適なＳＩＲの平均化時定数、つまりＳＩＲの平均化時間を調整し決定するので、ＳＩＲの平均化処理を効率的に行うことができるとともに最適なＭＣＳを選択することができる。
【００５７】
さらに、平均化要否判断において平均化が必要でないと示された時には、ＳＩＲ平均化部１３５はＳＩＲの平均化は行わず、ＭＣＳ割り当て部１２７は抽出されたＳＩＲに基づいてＭＣＳの割り当てを行うため、最適なＭＣＳの選択処理、つまり、最適な伝送レートの決定を効率的に行うことができる。
【００５８】
なお、本発明の実施の形態１は、上下リンクともＯＦＣＤＭ方式を適用した通信方式に基づいて説明を行ったが、当該通信方式に限定されるものではない。すなわち、本発明は、例えばＯＦＤＭ（Orthogonal Frequency Division Multiplexing）方式等のマルチキャリア通信またはＣＤＭＡ（Code Division Multiple Access）方式等のシングルキャリア通信行う方式において、基地局装置で測定した回線品質情報に基づいて最適な変調方式及び符号化率を選択する、つまり最適な伝送レートを決定して無線通信を行うものであれば適用可能である。
【００５９】
（実施の形態２）
次に、本発明の実施の形態２について、図面を参照して詳細に説明する。
【００６０】
マルチキャリア通信においては、遅延スプレッドが大きい時には、同時刻であっても周波数方向の、すなわちサブキャリア間のＳＩＲの変動は大きい。従って、帯域全体のＳＩＲの長区間変動を推定する際に、遅延スプレッドが大きい時には周波数方向の平均化効果が大きいので、時間方向の平均化時定数はある程度小さく、つまり平均化時間は短くしたとしても、ＳＩＲ平均化部はＳＩＲの十分な平均化を行うことができる。
【００６１】
そこで、本実施の形態２においては、ＳＩＲ平均化時間調整部がＳＩＲの平均化時定数を調整した後、遅延スプレッドの大きさに基づいて調整後のＳＩＲの平均化時定数を補正するか否か判断する。そして、その判断結果に基づいて調整後のＳＩＲの平均化時定数を補正してＳＩＲの平均化時定数を決定することで、最適なＭＣＳを選択するとともにスループットを向上させるようにする。
【００６２】
図１０は、本実施の形態２に係る基地局装置１０００の構成を示すブロック図である。図１１は、本実施の形態２に係る移動局装置１１００の構成を示すブロック図である。本実施の形態２では、ＯＦＣＤＭ（Orthogonal Frequency Code Division Multiplexing）方式の基地局装置及び移動局装置を例に説明を行う。なお、本実施の形態２においては、本発明の実施の形態１と同じ構成要素には同じ参照符号を付して、その説明を省略する。
【００６３】
図１０に示すように、本実施の形態２に係る基地局装置１０００は、本実施の形態１に係る基地局装置１００において、遅延スプレッド抽出部１００１、補正要否判断部１００３及びＳＩＲ平均化時間補正部１００５が追加されている。
【００６４】
また、図１１に示す移動局装置１１００は、本実施の形態１に係る移動局装置２００に遅延プロファイル生成部１１０１及び遅延スプレッド測定部１１０３が追加されるものである。
【００６５】
次に、上記構成を有する基地局装置１０００及び移動局装置１１００の動作について説明する。
【００６６】
移動局装置１１００のパイロット信号抽出部２１３は、復調部２０９から受けた復調信号からパイロット信号を抽出しＳＩＲ測定部２１５及び遅延プロファイル生成部１１０１に与える。
【００６７】
遅延プロファイル生成部１１０１は、パイロット信号抽出部２１３から抽出されたパイロット信号から伝搬路の遅延プロファイルを生成し遅延スプレッド測定部１１０３に与える。具体的には、マルチパス伝搬においては、異なる伝搬経路から信号が受信信号に到達するため時間ずれが生じる。そして、遅延プロファイル生成部１１０１は、この受信信号の時間方向への広がりから遅延時間を検出し、当該遅延時間に対する各パスの受信レベルから遅延プロファイルを生成する。
【００６８】
遅延スプレッド測定部１１０３は、遅延プロファイル生成部１１０１から受けた遅延プロファイルから遅延スプレッドを測定し誤り訂正符号化部２１７に与える。
【００６９】
誤り訂正符号化部２１７は、ＳＩＲ測定部２１５にて測定されたＳＩＲ報告値及び遅延スプレッド測定部１１０３で測定された遅延スプレッドを他のデータとともに誤り訂正符号化処理を行い変調部２１９に与える。
【００７０】
変調部２１９は、誤り訂正符号化部２１７から受けた誤り訂正符号化後のＳＩＲ報告値及び遅延スプレッドを含むデータを変調し変調信号を生成して拡散部２２１に与え、拡散部２２１は変調信号を固有の拡散コードを用いて拡散処理を行いＩＦＦＴ部２２３に与える。ＩＦＦＴ部２２３は、拡散処理後の変調信号にＩＦＦＴ処理を行い送信無線部２２５に与え、送信無線部２２５は、ＩＦＦＴ処理後の信号に所定の送信処理を行いアンテナ２０１を介して基地局装置１０００に無線送信する。
【００７１】
一方、基地局装置１０００のアンテナ１１１は、移動局装置１１００のアンテナ２０１から無線送信された信号を受信して受信信号を生成し受信無線部１１３に与え、受信無線部１１３は、受信信号に所定の受信処理を行いＦＦＴ部１１５に与える。ＦＦＴ部１１５は、受信信号にＦＦＴ処理を行い逆拡散部１１７に与え、逆拡散部１１７は、移動局装置毎に送信時と同じ拡散コードを用いてＦＦＴ後の受信信号に逆拡散処理を行い復調部１１９に与える。復調部１１９は、逆拡散処理後の受信信号を復調し復調信号を生成してドップラー周波数検出部１２１及び誤り訂正復号部１２９に与える。
【００７２】
ドップラー周波数検出部１２１は、復調部１１９から受けた復調信号からドップラー周波数、つまり、移動局装置の移動速度を検出しＭＣＳ閾値決定部１２３及びＳＩＲ平均化要否判断部１２５に与える。
【００７３】
ＳＩＲ平均化要否判断部１２５は、ドップラー周波数検出部１２１で検出されたドップラー周波数を基にＳＩＲの平均化要否を判断し平均化要否判断結果を生成して、当該平均化要否判断結果をＳＩＲ平均化時間調整部１３３に与える。
【００７４】
ＳＩＲ平均化時間調整部１３３は、ＳＩＲ平均化要否判断部１２５の平均化要否判断結果に基づいてＳＩＲの平均化時定数、つまり、ＳＩＲの平均化時間を調整し補正要否判断部１００３に与える。
【００７５】
誤り訂正復号部１２９は、復調部１１９から受けた復調信号に誤り訂正復号処理を行い遅延スプレッド抽出部１００１及びＳＩＲ報告値抽出部１３１に与える。
【００７６】
遅延スプレッド抽出部１００１は、誤り訂正復号部１２９から受けた誤り訂正復号処理後のデータから遅延スプレッドσを抽出し補正要否判断部１００３に与える。
【００７７】
補正要否判断部１００３は、遅延スプレッド抽出部１００１で抽出された遅延スプレッドσを基にＳＩＲ平均化時間調整部１３３で設定されたＳＩＲの平均化時定数の補正が必要か否かを判断して補正要否判断結果を生成し、ＳＩＲ平均化時間補正部１００５に与える。
【００７８】
具体的には、上述したようにマルチキャリア通信においては、遅延スプレッドσが大きい時には、同時刻であっても周波数方向の、すなわちサブキャリア間のＳＩＲの変動は大きい。
【００７９】
図１２は、ある時刻Ｔの周波数方向における帯域内のＳＩＲの変動を示す図である。図１２に示すように、ＳＩＲの変動線１２０１は、遅延スプレッドσが大きいと周波数方向に激しく変動している。
【００８０】
一方、時間方向においては、図１３に示すように帯域全体のＳＩＲの変動幅（Ｗ４〜Ｗ５）は、ある特定のサブキャリアのＳＩＲの変動幅（Ｗ３〜Ｗ６）に比べて小さい。この場合、ＳＩＲ平均化時間調整部１３３で設定されたＳＩＲ平均化時定数を小さくしても、十分に平均化を行うことはできる。
【００８１】
また、ＳＩＲを平均化する時において、必要以上にＳＩＲの平均化時定数を大きくしてしまうと、長区間変動分も平均化してしまう恐れがある。図１４は、ＳＩＲの平均化時定数が大きい時のＳＩＲの変動を示す図である。ここで、変動線１４０１は、ＳＩＲの長区間変動分を平均化してしまった時のＳＩＲの変動を示し、変動線１４０２は、変動幅Ｗ７〜Ｗ８を持つ実際のＳＩＲの変動を示している。また、変動線１４０３は、ＳＩＲの短区間変動分のみを平均化した時のＳＩＲの変動を示している。そしてＳＩＲの長区間変動分を平均化しまった結果、ＳＩＲの変動線１４０１は、本来の変動線１４０３と大きくかけ離れ、実際のＳＩＲの変動線１４０２を追従することができないことになる。
【００８２】
一方、遅延スプレッドσが小さい時には、サブキャリア毎のＳＩＲにばらつきは小さくサブキャリア全体のＳＩＲの変動は緩やかであるため、ＳＩＲ平均化時間調整部１３３で調整後のＳＩＲの平均化時定数を小さく補正する必要は無い。
【００８３】
従って、帯域内のサブキャリア毎のＳＩＲの変動が十分大きいと見なせる遅延スプレッド値を閾値σＴＨとし、補正要否判断部１００３は、当該閾値σＴＨと遅延スプレッド抽出部１００１が抽出した遅延スプレッドσとを比較することにより、調整後のＳＩＲ平均化時定数を補正する必要があるか否かを判断して補正要否判断結果をする。
【００８４】
ＳＩＲ平均化時間補正部１００５は、補正要否判断部１００３の補正要否判断結果に基づいて、ＳＩＲ平均化時間調整部１３３で調整されたＳＩＲの平均化時定数を補正する。
【００８５】
ＳＩＲ報告値抽出部１３１は、誤り訂正復号部１２９で誤り訂正復号されたデータからＳＩＲを抽出しＳＩＲ平均化部１３５に与える。
【００８６】
ＳＩＲ平均化部１３５は、ＳＩＲ平均化時間補正部１００５で補正されたＳＩＲの平均化時定数、つまりＳＩＲの平均化時間に基づいてＳＩＲ報告値抽出部１３１で抽出されたＳＩＲ報告値を平均化しＭＣＳ割り当て部１２７に与える。
【００８７】
次に、補正要否判断部１００３のＳＩＲの平均化時定数補正処理の動作を説明する。図１５は、補正要否判断部１００３のＳＩＲの平均化時定数補正処理の動作を示すフロー図である。なお、図１５において、図３と同じ部分については同じ符号を付して詳しい説明を省略する。
【００８８】
まず、ステップＳＴ３１０でｆＤ＞ｆＴＨである時には、ステップＳＴ３２０で、ＳＩＲ平均化時間調整部１３３はＳＩＲの平均化時定数をドップラー周波数ｆＤの逆数に対して長く設定する。
【００８９】
次いで、ステップＳＴ１５００で、遅延スプレッド抽出部１００１は誤り訂正後のデータから遅延スプレッドσを抽出し、ステップＳＴ１５１０で、補正要否判断部１００３は所定の閾値σＴＨと比較してσ＞σＴＨであるか判別する。ここで、σ＞σＴＨである時には、調整後のＳＩＲ平均化時定数の補正が必要であると判断されステップＳＴ１５２０に進み、σ≦σＴＨである時には、調整後のＳＩＲ平均化時定数の補正が必要でないと判断されステップＳＴ１５３０に進む。
【００９０】
次に、ステップＳＴ１５１０での判断結果によりＳＩＲ平均化時間調整部１３３で設定されたＳＩＲの平均化時定数に補正が必要であると示された時（すなわち、σ＞σＴＨである時）には、ステップＳＴ１５２０で、ＳＩＲ平均化時間補正部１００５はＳＩＲの平均化時定数を補正して小さくする。
【００９１】
一方、ステップＳＴ１５１０での判断結果によりＳＩＲ平均化時間調整部１３３で設定されたＳＩＲの平均化時定数に補正が必要でないと示された時（すなわち、σ≦σＴＨである時）には、ステップＳＴ１５３０で、ＳＩＲ平均化時間補正部１００５はＳＩＲの平均化時定数を変更しない。なお、この場合には、ＳＩＲ平均化時間補正部１００５は、ＳＩＲの平均化時定数を大きく補正してもよい。
【００９２】
次いで、ステップＳＴ３４０で、ＳＩＲ平均化部１３５はステップＳＴ１５２０、ステップＳＴ１５３０及びステップＳＴ３３０で補正及び設定されたＳＩＲの平均化時定数に基づいてＳＩＲの平均化を行い、動作を終了する。
【００９３】
このように、本実施の形態２によれば、補正要否判断部１００３が、遅延スプレッドの大きさに基づいてＳＩＲ平均化時間調整部１３３で設定されたＳＩＲの平均化時定数の補正が必要か否かを判断し補正要否判断結果を生成し、ＳＩＲ平均化時間補正部１００５が、この補正要否判断結果に基づいてＳＩＲの平均化時定数を補正するので、最適なＭＣＳを選択しかつスループットを向上させることができるとともにＳＩＲの平均化をより効率的に行うことができる。
【００９４】
なお、本実施の形態２では、まず始めにドップラー周波数の大きさに基づいてＳＩＲの平均化要否を判断し、その次に遅延スプレッドの大きさに基づいて設定後のＳＩＲの平均化時定数の補正要否を判断することにより、最終的なＳＩＲの平均化時定数を決定したが、ドップラー周波数ではなく遅延スプレッドだけに基づいてＳＩＲの平均化時定数を決定することも可能である。
【００９５】
なお、本発明の実施の形態２は、上下リンクともＯＦＣＤＭ方式を適用した通信方式に基づいて説明を行ったが、当該通信方式に限定されるものではない。すなわち、本発明は、例えばＯＦＤＭ（Orthogonal Frequency Division Multiplexing）方式等のマルチキャリア通信を行う方式において、基地局装置で測定した回線品質情報に基づいて最適な変調方式及び符号化率を選択する、つまり最適な伝送レートを決定して無線通信を行う通信方式であれば適用可能である。
【００９６】
本発明の第１の態様に係る無線通信装置は、通信相手から受信したデータから回線品質情報を抽出する抽出手段と、前記データからドップラー周波数を検出するドップラー周波数検出手段と、前記ドップラー周波数と前記回線品質情報の伝送遅延時間の逆数とを比較することにより前記回線品質情報を平均化するか否か判断して平均化要否判断結果を生成する平均化要否判断手段と、前記平均化要否判断結果に基づいて前記回線品質情報を平均化する平均化手段と、平均化された前記回線品質情報と前記ドップラー周波数とに基づいて伝送レートを決定する決定手段と、を具備する構成を採る。
【００９７】
この構成によれば、平均化手段が平均化要否判断手段の平均化要否判断結果に基づいて回線品質情報を平均化するので、最適な伝送レートを決定することができるとともにスループットを向上させることができる。
【００９８】
本発明の第２の態様に係る無線通信装置は、上記第１の態様において、前記平均化手段は、前記平均化要否判断結果に基づいて前記回線品質情報の平均化時間を調整する平均化時間調整手段を具備する構成を採る。
【００９９】
この構成によれば、平均化時間調整手段が平均化要否判断結果に基づいて回線品質情報の平均化時間を調整するので、回線品質情報の平均化及び最適な伝送レートの決定を効率良く行うことができる。
【０１００】
本発明の第３の態様に係る無線通信装置は、上記第２の態様において、前記データから遅延スプレッドを抽出する遅延スプレッド抽出手段と、前記遅延スプレッドと所定の閾値とを比較することにより前記平均化時間調整手段で調整した調整後の平均化時間を補正するか否か判断して補正要否判断結果を生成する補正要否判断手段と、前記補正要否判断結果に基づいて前記調整後の平均化時間を補正する平均化時間補正手段と、をさらに具備する構成を採る。
【０１０１】
この構成によれば、平均化時間補正手段が補正要否判断結果に基づいて調整後の回線品質情報の平均化時間を補正するので、最適な伝送レートを決定しかつスループットを向上させることができるとともに回線品質情報の平均化をより効率的に行うことができる。
【０１０２】
本発明の第４の態様に係る無線通信装置における伝送レート決定方法は、通信相手から受信したデータから回線品質情報を抽出する抽出ステップと、前記データからドップラー周波数を検出するドップラー周波数検出ステップと、前記ドップラー周波数と前記回線品質情報の伝送遅延時間の逆数とを比較することにより前記回線品質情報を平均化するか否か判断して平均化要否判断結果を生成する平均化要否判断ステップと、前記平均化要否判断結果に基づいて前記回線品質情報を平均化する平均化ステップと、平均化された前記回線品質情報と前記ドップラー周波数とに基づいて伝送レートを決定する決定ステップと、
を具備する構成を採る。
【０１０３】
この方法によれば、平均化ステップで平均化要否判断ステップでの平均化要否判断結果に基づいて回線品質情報が平均化されるので、最適な伝送レートを決定することができるとともにスループットを向上させることができる。
【０１０４】
本発明の第５の態様に係る無線通信装置における伝送レート決定方法は、上記第４の態様において、前記平均化ステップは、前記平均化要否判断結果に基づいて前記回線品質情報の平均化時間を調整する平均化時間調整ステップを具備する構成を採る。
【０１０５】
この方法によれば、平均化時間調整ステップで平均化要否判断結果に基づいて回線品質情報の平均化時間が調整されるので、回線品質情報の平均化及び最適な伝送レートの決定を効率良く行うことができる。
【０１０６】
本発明の第６の態様に係る無線通信装置における伝送レート決定方法は、上記第５の態様において、前記データから遅延スプレッドを抽出する遅延スプレッド抽出ステップと、前記遅延スプレッドと所定の閾値とを比較することにより前記平均化時間調整ステップで調整された調整後の平均化時間を補正するか否か判断して補正要否判断結果を生成する補正要否判断ステップと、前記補正要否判断結果に基づいて前記調整後の平均化時間を補正する平均化時間補正ステップと、をさらに具備する構成を採る。
【０１０７】
この方法によれば、平均化時間補正ステップで補正要否判断結果に基づいて調整後の回線品質情報の平均化時間が補正されるので、最適な伝送レートを決定しかつスループットを向上させることができるとともに回線品質情報の平均化をより効率的に行うことができる。
【産業上の利用可能性】
【０１０８】
本発明は、回線品質情報に応じて適応的に変調方式及び符号化率を変更して無線通信を行う無線通信装置及び無線通信装置における伝送レート決定方法として有用である。
【図面の簡単な説明】
【０１０９】
【図１】本発明の実施の形態１に係る基地局装置の構成を示すブロック図
【図２】本実施の形態１に係る移動局装置の構成を示すブロック図
【図３】本実施の形態１に係るＳＩＲ平均化要否判断処理及びＳＩＲ平均化時定数調整処理を説明するためのフロー図
【図４】ＳＩＲの変動が大きい時に伝送遅延の影響を受けたＳＩＲの変動を示す図
【図５】ＳＩＲの変動が大きい時に伝送遅延の影響を受けたＳＩＲの変動に基づいてＭＣＳの選択を行った時のスループット特性を示す図
【図６】ＳＩＲの変動が小さい時に伝送遅延の影響を受けたＳＩＲの変動を示す図
【図７】ＳＩＲの変動が小さい時に伝送遅延の影響を受けたＳＩＲの変動に基づいてＭＣＳの選択を行った時のスループット特性を示す図
【図８】ＳＩＲの短区間変動を平均化して実際のＳＩＲの長区間変動に追従できている様子を示す図
【図９】本実施の形態１に係るＭＣＳを選択した時のスループット特性を示す図
【図１０】本発明の実施の形態２に係る基地局装置の構成を示すブロック図
【図１１】本実施の形態２に係る移動局装置の構成を示すブロック図
【図１２】周波数方向における帯域内のＳＩＲの変動を示す図
【図１３】時間方向における特定のサブキャリア及び帯域全体のＳＩＲの変動を示す図
【図１４】ＳＩＲの平均化時定数が大きい時のＳＩＲの変動を示す図
【図１５】本実施の形態２に係るＳＩＲの平均化時定数補正処理を説明するためのフロー図
【図１６】ＡＭＣ技術の基本原理を説明するため図
【図１７】伝搬環境の影響を受けた時のＡＭＣを説明するため図
【図１８】従来の無線通信装置に係るＭＣＳの割り当てを説明するための図
【図１９】従来の無線通信装置の構成を示すブロック図
【符号の説明】
【０１１０】
１００、１０００  基地局装置
１０１、２１７  誤り訂正符号化部
１０３、２１９  変調部
１０５、２２１  拡散部
１０７、２２３  ＩＦＦＴ部
１０９、２２５  送信無線部
１１１、２０１  アンテナ
１１３、２０３  受信無線部
１１５、２０５  ＦＦＴ部
１１７、２０７  逆拡散部
１１９、２０９  復調部
１２１  ドップラー周波数検出部
１２３  ＭＣＳ閾値決定部
１２５  ＳＩＲ平均化要否判断部
１２７  ＭＣＳ割り当て部
１２９、２１１  誤り訂正復号部
１３１  ＳＩＲ報告値抽出部
１３３  ＳＩＲ平均化時間調整部
１３５  ＳＩＲ平均化部
２００、１１００  移動局装置
２１３  パイロット信号抽出部
２１５  ＳＩＲ測定部
１００１  遅延スプレッド抽出部
１００３  補正要否判断部
１００５  ＳＩＲ平均化時間補正部
１１０１  遅延プロファイル生成部
１１０３  遅延スプレッド測定部
【図１】
2007150862.tif 000003
【図２】
2007150862.tif 000004
【図３】
2007150862.tif 000005
【図４】
2007150862.tif 000006
【図５】
2007150862.tif 000007
【図６】
2007150862.tif 000008
【図７】
2007150862.tif 000009
【図８】
2007150862.tif 000010
【図９】
2007150862.tif 000011
【図１０】
2007150862.tif 000012
【図１１】
2007150862.tif 000013
【図１２】
2007150862.tif 000014
【図１３】
2007150862.tif 000015
【図１４】
2007150862.tif 000016
【図１５】
2007150862.tif 000017
【図１６】
2007150862.tif 000018
【図１７】
2007150862.tif 000019
【図１８】
2007150862.tif 000020
【図１９】
2007150862.tif 000021